(57)【要約】【課題】排水機能に支障をきたすことなく、ゴミを集め易い形状に成形できるヘアキャッチャーを提供する。【解決手段】ゴミ捕集面１７１，１７２，１７３の縁１７４から通水筒部２７０が立ち上げ形成され、この通水筒部２７０内がゴミ捕集面の下流側に通じる通水路２７０ａとなっており、通水筒部２７０の上端に取手１７ｃが形成されている。【選択図】図７
2007211582.tif 000002
【特許請求の範囲】
【請求項１】
ゴミ捕集面の縁から筒部が立ち上げ形成され、該筒部内が前記ゴミ捕集面の下流側に通じる通水路となっていることを特徴とするヘアキャッチャー。
【請求項２】
前記筒部の上端に取手が設けられたことを特徴とする請求項１に記載のヘアキャッチャー。
【発明の詳細な説明】
【技術分野】
【０００１】
本発明は、浴室等の排水部に設けられるヘアキャッチャーに関するものである。
【背景技術】
【０００２】
従来、特許文献１に開示されているようなヘアキャッチャーでは、多数の排水孔を有する目皿部の中央部に上方に向けて突出する突出部が設けられ、この突出部にオーバーフロー孔が形成され、このオーバーフロー孔からオーバーフロー水を下流側に排水できて、ゴミが目皿部に付着しても排水機能に支障をきたさないように構成されている。
【特許文献１】特開２００５−１４６５４２号公報
【発明の開示】
【発明が解決しようとする課題】
【０００３】
上記特許文献１に開示されているような、目皿部の中央部に山状に突出させて突出部を形成したヘアキャッチャーにおいては、目皿部閉塞時の排水性能は確保されるが、ゴミが集めにくく、ゴミ捕集面である目皿部の形状に制約があった。
【課題を解決するための手段】
【０００４】
本発明は上記従来の問題点に鑑み案出したものであって、従来のような中央部の突出部が不要となり、ゴミ捕集面の形状に制約がなくなるヘアキャッチャーを提供するものであり、その請求項１は、ゴミ捕集面の縁から筒部が立ち上げ形成され、該筒部内が前記ゴミ捕集面の下流側に通じる通水路となっていることである。
【０００５】
また、請求項２は、前記筒部の上端に取手が設けられたことである。
【発明の効果】
【０００６】
本発明のヘアキャッチャーは、ゴミ捕集面の縁から筒部が立ち上げ形成され、筒部内がゴミ捕集面の下流側に通じる通水路となっていることにより、ゴミ捕集面全体にゴミが付着した場合でも、通水路から良好に排水することができ、排水機能に支承をきたさないものとなり、従来のような中央部の突出部が不要であるためゴミ捕集面の形状に制約がなくなり、ゴミを集め易い形状にヘアキャッチャーを製作してゴミの捕集機能を向上させることができるものとなる。
【０００７】
また、筒部の上端に取手が設けられたことにより、取手を指で握りヘアキャッチャーを良好に取り外すことができるものとなり、取手は筒部の上端に設けられているため、水がかかりにくく汚れにくいものとなる。
【実施例】
【０００８】
以下、本発明の実施例を図面に基づいて説明する。
図１は、浴室の平面構成図であり、図２は、浴室の縦断面構成図である。
洗い場を形成する洗い場パン２と浴槽３間の堤防５上にエプロン４が立設され、このエプロン４側の洗い場パン２には凹み状に排水枡６が一体形成されており、排水枡６の下部に排水トラップ７が連結されている。
排水トラップ７の側面には、排水パイプ９が接続されており、排水パイプ９は浴槽３の底面に設けられている排水栓３ａに連通して、浴槽３内の排水が排水パイプ９を通り排水トラップ７内に流入されるものである。
【０００９】
また、排水トラップ７には、洗い場側からの排水が排水枡６を通り上方より流入され、排水トラップ７の周側面には排出管１４が接続されて、排出管１４を通し排水できるように構成されている。
また、排水トラップ７には、入口ドア１０の下面のレールに垂設されているドア下排水受け１１に溜まった排水がドア下排水管１２を介して流入されるように構成されている。
【００１０】
図３は、排水枡および排水トラップの縦断面拡大構成図であり、また図４は、排水トラップの水平面で切断した平面構成図である。
図３および図４に示すように、排水枡６は洗い場パン２と一体状に凹み状に形成されており、その上面には排水口カバー８が覆設されるものである。
排水枡６の底側にはフランジ部材１５がパッキン１６を介して取り付けられ、このフランジ部材１５にネジで排水トラップ７の上端が取り付けられている。
【００１１】
排水トラップ７の側面に浴槽排水流入口１９が開口形成されており、浴槽排水流入口１９は、排水トラップ７の底面７ｂ側から縦方向に延びる縦長状に形成されて、流入される浴槽排水の流速が増すように縦長のオリフィス状を成している。なお、浴槽排水流入口１９は、排水トラップ７の内周面７ａと遮蔽部材１８で形成される円形内周面７ａ側に指向して開口されている。この浴槽排水流入口１９には、外側へ突出状に接続部１９ａが連続しており、この接続部１９ａに前記浴槽３側から排水パイプ９が接続されるものである。
【００１２】
また、排水トラップ７の側面には、浴槽排水流入口１９と略反対側に流出口２０が形成されており、この流出口２０には前記排出管１４が接続されるものである。
流出口２０の上流側には、底面７ｂより一体状に立ち上げて封水壁２１が形成されており、この封水壁２１の上端が封水面Ｗとなるものである。
この封水壁２１の上流側には、遮蔽部材１８が縦設されており、この遮蔽部材１８は、排水トラップ７内を流入室Ｒ１と流出室Ｒ２に区画するものであり、遮蔽部材１８の下端と排水トラップ７の底面７ｂとの間には、流入室Ｒ１と流出室Ｒ２を連通させる連通部Ｐが形成されている。
【００１３】
遮蔽部材１８に一体状に流出室Ｒ２側へ凹み状に凹部１８ａが形成され、この凹部１８ａの底側の凹部壁面１８ｂに、流出室Ｒ２側へ貫通した点検用の開口１８ｃが形成されており、この点検用開口１８ｃに着脱可能にキャップ１８０が取り付けられたものとなっている。
【００１４】
このキャップ１８０は、流入室Ｒ１側から点検用開口１８ｃ内に本体を差し込み、手で回すことで遮蔽部材１８の凹部壁面１８ｂに取り付けできるものであり、キャップ１８０には、手で回す際に握ることのできるツマミ１８０ａが設けられており、キャップ１８０が図４に示すように凹部１８ａ内に嵌め込まれた状態では、ツマミ１８０ａが浴槽排水流入口１９に対し湾曲状に配置されて、ツマミ１８０ａが排水トラップ７の内周面７ａと連続して平面視略円形状の内周面を形成するように構成されており、浴槽排水流入口１９からの浴槽排水が、このキャップのツマミ１８０ａおよび内周面７ａに沿って旋回し、渦流が内部で発生するように構成されている。
【００１５】
なお、キャップ１８０に、吸気エルボ２６の下端側がオーリングを介して水密状に取り付けられており、吸気エルボ２６の上端は上方へ立ち上げられて、この吸気エルボ２６の上端に、ヘアキャッチャー１７に設けられている吸気筒部２７の下端が差し込まれるように構成されている。
【００１６】
また、吸気エルボ２６の下端側には流出室Ｒ２側から連通管２３が接続されており、連通管２３は下方側へ湾曲して延びて、その下端は排水トラップ７の底面７ｂ側に開口された給気口２４となっている。
【００１７】
なお、ヘアキャッチャー１７は、図５の斜視図で示すように、縦リブ１７ａと横リブ１７ｂで多数の開口Ｋ，Ｋ，Ｋが形成され、下方側へ向かって縮径する略円錐形状をなしている。
このヘアキャッチャー１７は、排水トラップ７内に溜められる封水の封水面Ｗの直上にその下端の底面が位置するように、フランジ部材１５内に上方から着脱可能に取り付けられる。
【００１８】
なお、このヘアキャッチャー１７の取手１７ｃは、扁平筒状の吸気筒部２７の上端に設けられており、吸気筒部２７の上端には空気を吸い込む吸込口２７ｂが形成されて、吸気筒部２７内には縦方向に吸気通路２７ａが形成されたものとなっている。
この吸気筒部２７は下方側へ延びて、その下端を、前記吸気エルボ２６に着脱可能に差し込んで接続できるように構成されている。
【００１９】
このような構成において、浴槽３の排水栓３ａが開けられ、浴槽３内の浴槽水が一気に排水パイプ９を通り浴槽排水流入口１９から排水トラップ７内に流入されると、浴槽排水は、遮蔽部材１８と内周面７ａの内周を旋回して渦流を発生させ、発生した渦流は上昇渦流となり上昇し、上昇渦流によりゴミや髪の毛は渦の中心に集められ、渦の中心から下方へ落下して、ゴミや髪の毛は、ヘアキャッチャー１７の下端中央部に良好に集められることとなる。
【００２０】
また、排水トラップ７の下流で負圧が発生した時に、吸込口２７ｂから吸い込まれた空気が給気口２４から排水トラップ７内に供給され、流出口２０側へ早急に空気が流れて負圧が抑制され、流入室Ｒ１側の封水が連通部Ｐに達することなく、封水切れが良好に防がれるように構成されている。
【００２１】
なお、図３および図５では、ヘアキャッチャー１７の周縁に立ち上げ状に吸気筒部２７を形成させて、この吸気筒部２７内を縦方向の吸気通路２７ａとして構成しているが、吸気エルボ２６および連通管２３が設けられていない構造の排水トラップ７に、図５のようなヘアキャッチャー１７を取り付けた場合には、吸込口２７ｂからオーバーフロー水を吸気通路２７ａ内に通して流入室Ｒ１内に排水することもでき、ヘアキャッチャー１７のゴミ捕集面全体にゴミが付着したような場合にも、吸気通路２７ａを通して良好に排水でき、排水機能に支障をきたさないようにすることができる。
【００２２】
図６では、別例のヘアキャッチャー１７を排水トラップ７に取り付けた断面構成図を示しており、この図６のヘアキャッチャー１７は、そのヘアキャッチャー１７のゴミ捕集面全体にゴミが付着した場合でも良好にオーバーフロー水を流入室Ｒ１側へ排水できるように、前記図５における吸気筒部２７に代えて、ヘアキャッチャー１７のゴミ捕集面の周縁から立ち上げ状に通水筒部２７０を形成させ、この通水筒部２７０内を縦方向の通水路２７０ａとしたものである。
【００２３】
この図６のヘアキャッチャー１７の詳細は、図７の斜視図で、また違う方向から見た図８の斜視図で、更に図９の平面図で示す。
即ち、ヘアキャッチャー１７は、平面視が円形状をなし、円形リング状の円周部１７４の内側に、下方側へ凹ませて凹部１７６が形成されており、この凹部１７６は、第１傾斜平面１７１と、第２傾斜平面１７２と、逆円錐台曲面１７３，１７３で構成されている。
第１傾斜平面１７１と第２傾斜平面１７２は、対向状にそれぞれ円周部１７４付近を頂点として中央側へ下傾し、凹部１７６中央部の斜面交線部１７５で交わっている。
また、逆円錐台曲面１７３，１７３は、円周部１７４から逆円錐台状に下傾し、第１傾斜平面１７１および第２傾斜平面１７２の外縁１７１ａ，１７２ａと交わっている。
【００２４】
なお、第１傾斜平面１７１および第２傾斜平面１７２には、それぞれ四角形状の排水用孔が多数貫通形成されているが、円周部１７４に近い上半分は開口面積が大な大径排水用孔１７７，１７７，１７７となっており、斜面交線部１７５に近い下半分は開口面積が小の小径排水用孔１７８，１７８，１７８となっている。
また、逆円錐台曲面１７３にも多数の排水用孔１７９，１７９，１７９が貫通形成されている。なお、この逆円錐台曲面１７３の下部の斜面交線部１７５の延長線上の部分は、排水用孔１７９の存在しない孔無し部１７３ａとなっている。
【００２５】
このような構成のヘアキャッチャー１７では、第１傾斜平面１７１と第２傾斜平面１７２の２枚の平面が中央部で交わる形状であるため、円周部１７４から斜面交線部１７５に至る深さを最も深くすることができ、第１傾斜平面１７１および第２傾斜平面１７２の傾斜角度を急角度にして、排水の流れを良好化することができる。
【００２６】
なお、円周部１７４の接線方向から流れてくる排水を、逆円錐台曲面１７３に沿わせて旋回させ、排水を加速させて、第１傾斜平面１７１および第２傾斜平面１７２の上方側より下方に向かって排水を斜面交線部１７５に良好に集めることができ、この排水の流れにより、斜面交線部１７５上に髪の毛等のゴミを良好に集めることができるものとなる。しかも、この部分の逆円錐台曲面１７３には孔無し部１７３ａが形成されており、斜面交線部１７５付近の排水用孔は小径排水用孔１７８であるため、この傾斜交線部１７５の上方付近では排水性能があえて低く設定されているため、この斜面交線部１７５の上方付近で髪の毛，ゴミが排水で一旦浮き上がり、良好に髪の毛，ゴミをこの斜面交線部１７５上に集めることができるものとなる。
【００２７】
また、髪の毛等のゴミは、孔無し部１７３ａにより外側へ流れ出ることがない。そのため、髪の毛等のゴミは、良好に斜面交線部１７５上に集められるため、取手１７ｃを手で持ってヘアキャッチャー１７を引き上げて裏返しにすることで、中央部に集められた髪の毛等のゴミを一振りで良好にヘアキャッチャー１７から取り除くことができるものとなる。
【００２８】
図６〜図９に示すヘアキャッチャー１７では、通水筒部２７０の上端に通水路２７０ａの上面が開口されており、この上面側に、略水平に外方へ突出して取手１７ｃが一体形成され、通水路２７０ａの上面開口は、取手１７ｃ側から逆円錐台曲面１７３側に向かって傾斜して、逆円錐台曲面１７３側が低く形成され、ヘアキャッチャー１７側からのオーバーフロー水が良好に通水路２７０ａ内に流入できるように構成されている。
通水路２７０ａに流入されたオーバーフロー水は下方側に向けて流出して、良好に流入室Ｒ１内に排水されるものであり、第１傾斜平面１７１および第２傾斜平面１７２および逆円錐台曲面１７３の全面にゴミが付着したような場合にも良好に通水路２７０ａを介して排水させることができ、排水機能に支障をきたさないように構成されている。
なお、従来のように、ヘアキャッチャーの中央部に上方へ突出する突出部を形成させる必要がないため、形状に制約が無く、前述したようなゴミを集め易い形状にヘアキャッチャー１７を成形することができるものである。
【００２９】
なお、図１０は、図７，図８，図９で示した排水トラップ１７を、筒型排水トラップに取り付けた縦断面構成図である。
筒型排水トラップは、排水トラップ７内のほぼ中央に垂下状に筒状の防臭筒３０が設けられており、この防臭筒３０の上端のフランジ部３０ａが、フランジ部材１５に設けられたヘアキャッチャー１７の下方に設置され、防臭筒３０の下端は排水トラップの底面７ｂとの間に隙間を形成して、この隙間が連通部Ｐとなっており、防臭筒３０の内周側に流入室Ｒ１が形成され、防臭筒３０の外側に流出室Ｒ２が形成されたものである。
【００３０】
その他の構成は、図６のものとほぼ同一であり、洗い場２側からの排水がヘアキャッチャー１７を通り上方から防臭筒３０内の流入室R１内に流れ込み、また、浴槽３側の排水が排水パイプ９を通し流入口１９から流出室R２内に流れ込むように構成されている。
なお、排水トラップ７の内周面７ａに指向して開口されている流入口１９から、勢いよく浴槽排水が内周面７ａに沿って流れ込んで旋回し、旋回流が内部で発生して、発生した旋回流は防臭筒３０の外側から防臭筒３０の内側にも入り込んで渦流が上昇し、渦流がヘアキャッチャー１７まで達して、良好にヘアキャッチャー１７にへばり付いているゴミや髪の毛を、ヘアキャッチャー１７の中央部に集めることができるものである。
【図面の簡単な説明】
【００３１】
【図１】浴室の平面構成図である。
【図２】浴室の縦断面構成図である。
【図３】略円錐形状をなしているヘアキャッチャーを取り付けた排水トラップの縦断面構成図である。
【図４】図３の排水トラップを水平面内で切断した平面構成図である。
【図５】図３のヘアキャッチャーの斜視構成図である。
【図６】通水路を形成した別例のヘアキャッチャーを取り付けた排水トラップの縦断面構成図である。
【図７】図６のヘアキャッチャーの斜視構成図である。
【図８】図７のヘアキャッチャーを違う方向から見た斜視構成図である。
【図９】図７のヘアキャッチャーの平面構成図である。
【図１０】図７のヘアキャッチャーを筒型排水トラップに取り付けた状態の縦断面構成図である。
【符号の説明】
【００３２】
１  浴室
２  洗い場パン
３  浴槽
６  排水枡
７  排水トラップ
７ｂ  底面
８  排水口カバー
９  排水パイプ
１４  排出管
１５  フランジ部材
１７  ヘアキャッチャー
１７ｃ  取手
１８  遮蔽部材
１８ｃ  点検用開口
１９  浴槽排水流入口
２０  流出口
２１  封水壁
２３  連通管
２４  給気口
２６  吸気エルボ
２７  吸気筒部
２７ａ  吸気通路
２７ｂ  吸込口
３０  防臭筒
１７１  第１傾斜平面
１７２  第２傾斜平面
１７１ａ，１７２ａ  外縁
１７３  逆円錐台曲面
１７３ａ  孔無し部
１７４  円周部
１７５  斜面交線部
１７６  凹部
１８０  キャップ
２７０  通水筒部
２７０ａ  通水路
Ｒ１  流入室
Ｒ２  流出室
Ｗ  封水面
【図１】
2007211582.tif 000003
【図２】
2007211582.tif 000004
【図３】
2007211582.tif 000005
【図４】
2007211582.tif 000006
【図５】
2007211582.tif 000007
【図６】
2007211582.tif 000008
【図７】
2007211582.tif 000009
【図８】
2007211582.tif 000010
【図９】
2007211582.tif 000011
【図１０】
2007211582.tif 000012